(57)【要約】【課題】腕時計が大型化することなく、かつ防水構造が複雑にならないとともに、設計上やデザイン上の制約が少なく、汎用のＬＥＤを用いることを可能とする。【解決手段】腕時計ケース１０内においてムーブメント１３と同一平面には、同一の回路基板２２に取り付けて文字板照明用ＬＥＤ２３と外部照明用ＬＥＤ２４を取り付ける。そして、文字板照明用ＬＥＤと対向する文字板１５位置には第１開口ａを、外部照明用ＬＥＤと対向する文字板１５位置には第２開口ｂをあける。開口ａ・ｂは、孔でもよいし、切り欠いて形成してもよい。また、腕時計ケースの見切り部分には、文字板の第１開口ａを通過した文字板照明用ＬＥＤ２３の光を反射して文字板の表面を照射する反射面１０ａを形成する。【選択図】　　　　図１
2004053342.tif 000002
【特許請求の範囲】
【請求項１】
ムーブメントと同一平面に設けるＬＥＤと、そのＬＥＤの光を通過する開口を有する文字板とを備えることを特徴とする、アナログ腕時計。
【請求項２】
前記文字板の開口を通過した前記ＬＥＤの光を反射面で反射して前記文字板の表面を照射する文字板照明手段を備えることを特徴とする、請求項１に記載のアナログ腕時計。
【請求項３】
前記文字板の開口を通過した前記ＬＥＤの光を風防ガラスを透して外部に照射する外部照明手段を備えることを特徴とする、請求項１に記載のアナログ腕時計。
【請求項４】
文字板を照射する照明手段とともに前記外部照明手段を備えることを特徴とする、請求項３に記載のアナログ腕時計。
【請求項５】
前記照明手段として、前記文字板の開口を通過した前記ＬＥＤの光を反射面で反射して前記文字板の表面を照射する請求項２に記載の文字板照明手段を備えることを特徴とする、請求項４に記載のアナログ腕時計。
【請求項６】
前記文字板照明手段として用いる前記ＬＥＤと、前記外部照明手段として用いる前記ＬＥＤを同一の回路基板上に設けることを特徴とする、請求項５に記載のアナログ腕時計。
【請求項７】
充電回路を備えることを特徴とする、請求項１ないし６のいずれかに記載のアナログ腕時計。
【請求項８】
電磁誘導方式を用いて前記充電回路で充電を行うことを特徴とする、請求項７に記載のアナログ腕時計。
【発明の詳細な説明】
【０００１】
【発明の属する技術分野】
この発明は、時針・分針等の針で文字板上の時字を指し示して時刻を表示するアナログ腕時計に関する。特にそのうち、照明光源としてＬＥＤを備える照明機能付きのアナログ腕時計に関する。
【０００２】
【従来の技術】
従来、アナログ腕時計の中には、腕時計内部の文字板上を照明する照明光源や、腕時計外部を照明する照明光源を備えるものがある（特開平８−１５２４９２号公報参照）。
【０００３】
腕時計内部の文字板上を照明するものでは、文字板まわりの見切り部分にＬＥＤ等の照明光源を置き、文字板上を横から照射していた。また、文字板の裏にＥＬ等の照明光源を置き、バックライトとして文字板の裏から光を照射していた。一方、腕時計の外部を照明するものでは、腕時計ケースにＬＥＤ等の照明光源を埋め込むように取り付けていた。
【０００４】
【発明が解決しようとする課題】
ところが、見切り部分に照明光源を設けると、照明光源の大きさや形状に制約を受け、専用のものを準備する必要があった。また、見切り部分にスペースを確保しなければならず、腕時計の厚さが厚くなるとともに、腕時計ケースのデザインをする上で制約となった。また、バックライトとすると、文字板を半透明な素材でつくる必要があり、デザイン上大きな制約となっていた。
【０００５】
また、腕時計ケースに照明光源を設けると、腕時計ケースが大きくなって腕時計が大型化するとともに、内部機構と電気接続する必要から、防水構造が複雑となる問題があった。
【０００６】
そこで、この発明の第１の目的は、腕時計が大型化することなく、かつ防水構造が複雑にならないとともに、設計上やデザイン上の制約が少なく、汎用のＬＥＤを用いることを可能とすることにある。
【０００７】
この発明の第２の目的は、ＬＥＤで文字板の表面を簡単な構造で確実に照射することを可能とすることにある。
【０００８】
この発明の第３の目的は、従来の腕時計ケースをそのまま使用可能とし、安価であるとともに、デザイン上の制約を受けたり、防水構造が複雑になったりするおそれをなくすことにある。
【０００９】
この発明の第４の目的は、時計としても照明装置としても利用可能とすることことにある。
【００１０】
この発明の第５の目的は、腕時計を大型化することなく、かつ防水構造が複雑にならず、設計上やデザイン上の制約を少なくすることができ、しかも汎用のＬＥＤを用いることができ、また金属の文字板を用いることができるとともに、時計としても照明装置としても利用可能とすることにある。
【００１１】
ところで、従来のような構成では、文字板を照明する光源と外部を照明する光源とをそれぞれ別個に設けるから大型化するとともに、ＬＥＤと回路基板とを接続する部品などを個別に必要とし、構造が複雑となるとともに、組立性も悪かった。
【００１２】
そこで、この発明の第６の目的は、文字板を照明する光源と外部を照明する光源とを一体化して小スペース化を図るとともに、駆動回路や電源の共通化等を可能として構造を単純化し、組立や電気接続を容易とすることにある。
【００１３】
また、一次電池を電源とする照明機能付き腕時計では、一次電池のサイズが小さく電池容量に限りがあった。このため、照明光源を何度も使用すると、すぐに電池容量が空になり、電池を交換しなければならなかった。しかし、腕時計の多くは、防水機能を備えており、ユーザー個人で電池交換が難しく、専門店で電池交換することになり、非常に煩わしいものであった。そして、電池の消耗を早めることから、ＬＥＤの明るさを明るくしたり、照明の点灯時間を長くしたりすることもできなかった。
【００１４】
そこで、この発明の第７の目的は、電池寿命を気にすることなく、かつ電池交換の煩わしさや費用を気にすることなく、照明機能を存分に使い得るようにすることにある。
【００１５】
さて、太陽電池を用いるものでは、文字板を太陽電池でつくるから、文字板の形状やデザインが制約を受け、また屋内での使用や冬場の使用など、使用条件によっては十分な充電量を得ることができなかった。他方、直接端子を接続して充電するものでは、腕時計ケースに端子を付ける構造が必要になり、腕時計ケースの形状が特殊な形状になって、防水機能が複雑になるなどの問題があった。
【００１６】
そこで、この発明の第８の目的は、デザイン上の制約がないとともに、防水構造を複雑にすることなく、簡単かつ確実な充電を可能とすることにある。
【００１７】
【課題を解決するための手段】
そのため、請求項１に記載の発明は、上述した第１の目的を達成すべく、アナログ腕時計において、ムーブメントと同一平面に設けるＬＥＤと、そのＬＥＤの光を通過する、孔・切欠き等の開口を有する文字板とを備える、ことを特徴とする。
【００１８】
請求項２に記載の発明は、上述した第２の目的を達成すべく、請求項１に記載のアナログ腕時計において、文字板の開口を通過したＬＥＤの光を反射面で反射して文字板の表面を照射する文字板照明手段を備える、ことを特徴とする。
【００１９】
請求項３に記載の発明は、上述した第３の目的を達成すべく、請求項１に記載のアナログ腕時計において、文字板の開口を通過したＬＥＤの光を風防ガラスを透して外部に照射する外部照明手段を備える、ことを特徴とする。
【００２０】
請求項４に記載の発明は、上述した第４の目的を達成すべく、請求項３に記載のアナログ腕時計において、文字板を照射する照明手段とともに外部照明手段を備える、ことを特徴とする。
【００２１】
請求項５に記載の発明は、上述した第５の目的を達成すべく、請求項４に記載のアナログ腕時計において、照明手段として、文字板の開口を通過したＬＥＤの光を反射面で反射して文字板の表面を照射する請求項２に記載の文字板照明手段を備える、ことを特徴とする。
【００２２】
請求項６に記載の発明は、上述した第６の目的を達成すべく、請求項５に記載のアナログ腕時計において、文字板照明手段として用いるＬＥＤと、外部照明手段として用いるＬＥＤを同一の回路基板上に設ける、ことを特徴とする。
【００２３】
請求項７に記載の発明は、上述した第６の目的を達成すべく、請求項１ないし６のいずれかに記載のアナログ腕時計において、充電回路を備える、ことを特徴とする。
【００２４】
請求項８に記載の発明は、上述した第６の目的を達成すべく、請求項７に記載のアナログ腕時計において、電磁誘導方式を用いて充電回路で充電を行う、ことを特徴とする。
【００２５】
【発明の実施の形態】
以下、図面を参照しつつ、この発明の実施の形態につき説明する。
図１には、電磁誘導方式を用いて充電を行う充電式腕時計を示す。
【００２６】
図示腕時計は、腕時計ケース１０の表側に風防ガラス１１を固着し、裏側に裏ブタ１２をねじ付けて取り付ける。裏ブタ１２は、非磁性材である、プラスチックや、強磁性体でない金属などを用いてつくる。
【００２７】
腕時計ケース１０内には、ムーブメント１３を樹脂製の中枠１４で固定して収納する。ムーブメント１３には、金属材料に印刷を施して形成した文字板１５を取り付け、また時針、分針、秒針等の針１６を取り付ける。そのようなムーブメント１３の裏ブタ１２側には、充電回路を設け、二次電池１８を配置するとともに、その二次電池１８の周囲を囲むようにコイルボビン１９に巻き付けて環状の二次コイル２０を取り付ける。つまり、二次電池１８と二次コイル２０とを、腕時計ケース１０内において同一平面に配置する。
【００２８】
また、腕時計ケース１０内においてムーブメント１３と同一平面には、同一の回路基板２２に取り付けて文字板照明用ＬＥＤ２３と外部照明用ＬＥＤ２４を取り付ける。
【００２９】
そして、文字板照明用ＬＥＤ２３と対向する文字板１５位置には第１開口ａを、外部照明用ＬＥＤ２４と対向する文字板１５位置には第２開口ｂをあける。開口ａ・ｂは、孔を形成してもよいし、文字板１５の縁部を切り欠いて形成してもよい。
【００３０】
また、腕時計ケース１０の見切り部分には、文字板１５の第１開口ａを通過した文字板照明用ＬＥＤ２３の光を反射して文字板１５の表面を照射する反射面１０ａを設ける。反射面１０ａは、例えば鏡面仕上げをしたり、反射材を塗布したりして形成する。この例では、反射面１０ａを腕時計ケース１０に形成するが、反射面は、腕時計ケース１０ではなく、見切りリングなどに形成するようにしてもよい。
【００３１】
これにより、文字板１５の第１開口ａを通過した文字板照明用ＬＥＤ２３の光を反射面１０ａで反射して文字板１５の表面を照射する文字板照明手段２５を形成する。また、文字板１５の第２開口ｂを通過した外部照明用ＬＥＤ２４の光を風防ガラス１１を透して外部に照射する外部照明手段２６を形成する。
【００３２】
他方、外端にリューズ２７を取り付ける巻真２８を、腕時計ケース１０を貫通して挿入してムーブメント１３内に入れる。また、図示省略するが、外端にスイッチを取り付ける操作軸を、同様に腕時計ケース１０を貫通して挿入してムーブメント１３内に入れる。
【００３３】
そして、二次電池１８でムーブメント１３を駆動して針１６を回転し、文字板１５の時字を指して時刻を表示する。時刻修正時は、リューズ２７を操作して巻真２８を介してムーブメント１３を動かし、針１６を回す。
【００３４】
暗いところで時刻が見にくいときには、不図示のスイッチを押して文字板照明手段２５を作動し、二次電池１８を電源として文字板照明用ＬＥＤ２３を点灯してその光を第１開口ａを通過して反射面１０ａに当て、その反射面１０ａで反射して文字板１５の表面を照射する。
【００３５】
また、暗いところで鍵穴等が見にくいときには、不図示のスイッチをもう一度押して外部照明手段２６を作動し、文字板照明用ＬＥＤ２３を消灯するとともに、二次電池１８を電源として外部照明用ＬＥＤ２４を点灯してその光を第２開口ｂを通過してから風防ガラス１１を透して外部に照射する。
【００３６】
不図示のスイッチをさらにもう一度押すと、外部照明用ＬＥＤ２４を消灯する。もちろん、残照時間を設定してスイッチ操作後一定時間が経過して後、文字板照明用ＬＥＤ２３または外部照明用ＬＥＤ２４を自動的に消灯するようにしてもよい。また、１つのスイッチではなく、ＬＥＤごとに別個のスイッチを設けてそれらのスイッチを個別に点灯または消灯操作するようにしてもよい。
【００３７】
ところで、図示腕時計では、使用により二次電池１８の電池容量が低下したときは、不図示の充電器上に載せて電磁誘導方式を用いて充電する。つまり、ＡＣコードを介して供給されるＡＣ電流を充電器の整流回路で整流して一次コイルで交流磁界を発生し、この交流磁界により図示腕時計の二次コイル２０に交流電流を発生し、整流回路で整流して直流電流として二次電池１８を充電する。
【００３８】
なお、図示例では、電磁誘導方式を用いて充電回路の二次電池１８を充電したが、二次電池１８を太陽電池や、直接電源端子を接続して充電するようにしてもよい。
【００３９】
また、この図示例では、文字板照明用ＬＥＤ２３と外部照明用ＬＥＤ２４の双方をムーブメント１３と同一平面に設けたが、一方のみをムーブメント１３と同一平面に設けるようにしてもよい。
【００４０】
【発明の効果】
以上に説明したとおり、この発明によれば、ムーブメントと同一平面に設けるＬＥＤと、そのＬＥＤの光を通過する開口を有する文字板とを備えるので、腕時計の総厚をさほど厚くすることなく、腕時計ケース内にＬＥＤを配置することができ、腕時計を大型化することなく、かつ防水構造が複雑にならず、設計上やデザイン上の制約を少なくすることができる。しかも、ムーブメントの厚さ内であれば、大きさや形状に制約を受けず、汎用のＬＥＤを用いることができ、安価にできる。また、金属の文字板を用いることができ、見た目を良くし、デザイン上の制約をなくすことができる。
【００４１】
請求項２に係る発明によれば、文字板の開口を通過したＬＥＤの光を反射面で反射して文字板の表面を照射する文字板照明手段を備えるので、腕時計ケースや見切りリングに形成した反射面で、文字板の開口を通過したＬＥＤの光を反射して文字板の表面を照射するようにし、簡単な構造でＬＥＤの光を文字板に向けることができる。
【００４２】
請求項３に係る発明によれば、文字板の開口を通過したＬＥＤの光を風防ガラスを透して外部に照射する外部照明手段を備えるので、従来の腕時計ケースをそのまま使用することができ、安価であるとともに、デザイン上の制約を受けたり、防水構造が複雑になったりするおそれをなくすことができる。
【００４３】
請求項４に係る発明によれば、文字板を照射する照明手段とともに外部照明手段を備えるので、暗いところでも、時計として時刻の確認を可能とするとともに、照明装置としても利用可能とすることができる。
【００４４】
請求項５に係る発明によれば、照明手段として、文字板の開口を通過したＬＥＤの光を反射面で反射して文字板の表面を照射する請求項２に記載の文字板照明手段を備えるので、腕時計を大型化することなく、かつ防水構造が複雑にならず、設計上やデザイン上の制約を少なくすることができ、しかも汎用のＬＥＤを用いることができ、また金属の文字板を用いることができるとともに、時計としても照明装置としても利用可能とすることができる。
【００４５】
請求項６に係る発明によれば、文字板照明手段として用いるＬＥＤと、外部照明手段として用いるＬＥＤを同一の回路基板上に設けるので、文字板を照明する光源と外部を照明する光源とを一体化して小スペース化を図るとともに、駆動回路や電源の共通化等を可能として構造を単純化し、組立や電気接続を容易とすることができる。
【００４６】
請求項７に係る発明によれば、充電回路を備えるので、ＬＥＤ光源を多用することにより電池がなくなっても電池交換をすることなく充電するだけでよいから、電池寿命を気にする必要なく、かつ電池交換の煩わしさや費用を気にすることなく、照明機能を存分に使うことができる。
【００４７】
請求項８に係る発明によれば、電磁誘導方式を用いて充電回路で充電を行うので、デザイン上の制約がないとともに、防水構造を複雑にすることなく、簡単かつ確実な充電を可能とすることができる。
【図面の簡単な説明】
【図１】電磁誘導方式を用いて充電を行う、この発明の充電式腕時計の断面図である。
【符号の説明】
１０　　腕時計ケース
１０ａ　反射面
１１　　風防ガラス
１３　　ムーブメント
１５　　文字板
２２　　回路基板
２３　　文字板照明用ＬＥＤ
２４　　外部照明用ＬＥＤ
２５　　文字板照明手段
２６　　外部照明手段
ａ　　第１開口
ｂ　　第２開口
【図１】
2004053342.tif 000003